(57)【要約】【課題】本考案は、簡単に回路板に取り付けて簡単に回路板から取り外せることを特徴とするLED構造を提供する。【解決手段】本考案はLED構造を提供するものであり、一つの電極は、一つの絶縁体部分によってもう一つの電極を包み込みLED構造を一つのピンに変化させる。本考案のLED構造は、電性を備えた導電層を絶縁層部分によって別の電性を備える細長形状の導電体を包み込み、LEDの二電極はそれぞれ、導電層及び導電体に電気接続する。これにより、本考案のLED構造を一つのピンに変化させ、容易に回路板に取り付け容易に回路板から取り外せるようにする。【選択図】図４
0003139394.tif 000002
【実用新案登録請求の範囲】
【請求項１】
LED構造は、
細長形状である導電体と、
該導電体の一端に設け、且つ端において第一電極と電気接続するLEDと、
導電体のLEDに近い部分を包み込む第一絶縁層と、
第一絶縁層を包み込み、該第一絶縁層により該導電体と隔離し、該LEDの第二電極と電気接続する導電層とにより構成され、
その内の該導電体の第一絶縁層に露出する部分と回路基板を被覆する第一供電層とは電気接触しており、該導電層は該第一供電層を被覆する第二絶縁層によって第一供電層と隔離しており、該導電層と第二絶縁層を被覆する第二供電層は電気接触し、該第一電極と該第一供電層の電性は同様で、該第二電極と該第二供電層の電性は同様であることを特徴とするLED構造。
【請求項２】
前記LED構造は、更にカバーを含み、該カバーは該LED構造が備えるLEDの一端を包み込むことを特徴とする請求項１記載のLED構造。
【請求項３】
前記カバーは透明または半透明であることを特徴とする請求項２記載のLED構造。
【請求項４】
前記導電体は円柱形状を成すことを特徴とする請求項１記載のLED構造。
【請求項５】
前記導電体の材質は銅であることを特徴とする請求項１記載のLED構造。
【請求項６】
前記導電層はロールプレス成形で第一絶縁層外周に形成されることを特徴とする請求項１記載のLED構造。
【請求項７】
前記導電層の材質はアルミであることを特徴とする請求項１記載のLED構造。
【考案の詳細な説明】
【技術分野】
【０００１】
本考案は、LEDの構造に関するものであり、特に、一つの電極が一つの絶縁体部分によってもう一つの電極を包み込みLED構造を一つのピンに変化させたものである。
【背景技術】
【０００２】
LEDは簡単な構造と高明度により、現在、戸外大型テレビスクリーン、戸外大型広告看板、車両ライト、懐中電灯等の広告や照明設備に広く応用されている。公知のLEDの構造は一長一短のピンを有し、それはそれぞれ異なる電極を示している。
【考案の開示】
【考案が解決しようとする課題】
【０００３】
しかし、公知のLEDを回路板上に組み立てる場合、回路板上の二つのピン挿入孔の電性が公知のLEDの一長一短のピンの電性に符号するかどうかまず判別するか、さもなくば、公知のLEDを回転させて二つのピンの電性と二つのピン挿入孔の電性を符号させた後に二つのピンをそれぞれ二つのピン挿入孔にぴったり合わせてこそ、公知のLEDを回路板上にスムーズに取り付けることができる。よって組立て過程は非常に不便である。公知のLEDが故障した場合は、公知のLEDを回路板から取り外し、更に上述ステップを経て公知のLEDを回路板に取り付けなければならず、取り外し過程もまた非常に不便である。
【０００４】
この為、いかにLEDの改良構造を作り出し、LED構造を簡単に回路板に取り付けて簡単に回路板から取り外すかが、本考案の積極的に開示したい課題である。
【課題を解決するための手段】
【０００５】
上述した公知のLEDの欠点に鑑み、考案者はそれがまだ完璧でないことを感じ、克服すべく智恵を絞り専心研究を続け、該産業の多年の累積した経験によって、ついにLEDの改良構造を開発した。これにより、LED構造を容易に回路板に取り付けられ且つ容易に回路板から取り外す目的を達成する。
【０００６】
本考案の主な目的は、電性を備えた導電層が絶縁層部分によって別の電性を備えた細長形状の導電体を包み込むことにより、LED構造を一つのピンに変化させ、LED構造を容易に回路板に取り付け容易に回路板から取り外す目的を達成するLED構造を提供する。
【０００７】
上述目的を達成する為、本考案のLED構造は、導電体とLEDと第一絶縁層と導電層を含む。該導電体は、細長形状であり、該LEDは、該導電体の一端に設け、且つ該LEDの第一電極は該端に電気接続し、該第一絶縁層は、該導電体の該LEDに近い部分を包み込み、該導電層は、該第一絶縁層を包み込み、該導電層は該第一絶縁層と該導電体を隔離し、且つ、該LEDの第二電極と該導電層は電気接続する。その内の導電体は該第一絶縁層の一部分と回路板の第一供電層を露出し電気接触しており、該導電層は該第一供電層の第二絶縁層と第一供電層を被覆し隔離しており、該導電層と該第二絶縁層の第二供電層を被覆し電気接触し、該第一電極と該第一供電層の電性は同様し、該第二電極と該第二供電層の電性は同様である。これにより、本考案のLED構造は容易に回路板に取り付けられ容易に回路板から取り外すことができる。
【考案の効果】
【０００８】
本考案のLED構造は、簡単に回路板に取り付けて簡単に回路板から取り外せることを特徴とする。
【考案を実施するための最良の形態】
【０００９】
本考案の目的、特徴、及び効果を十分に御理解戴く為に、後述の具体的な実施例及び添付図面により、本考案に詳細な説明を加える。説明は次のとおりである。
【００１０】
（実施例１）
図１から図３にはそれぞれ本考案の具体的な実施例に関する分解図、組立図、上面図を示す。図に示すとおり、本考案のLED構造は、LED１と導電体２と第一絶縁層３と導電層４を含む。該導電体２は、細長形状（例えば円柱形状）且つ銅材質であり、LED１は導電体２の一端に設け、LED１の第一電極１１は導電体２端に正極（または負極）で電気接続し、第一絶縁層３は中空円柱であり、それは導電体２外のLED１に近い部分に嵌合し包み込んでいる。導電層４もまた中空円柱且つアルミ材質であり、導電層４は第一絶縁層３外を嵌合し包み込み、並びに、導電体２と隔離する。LED１の第二電極１２と導電層４とは負極（または正極）で電気接続する。上述したとおり、本考案のLED構造は、一つのピンに変化する。
【００１１】
（実施例２）
図４は、本考案の実施例２の組立図である。図に示すとおり、本考案のLED構造は、更にカバー５を含む。該カバー５は、透明または半透明でLED構造が備えるLED１の一端を包み込み、カバー５によってLED１は外界環境から受ける損傷を防ぐ。
【００１２】
図５及び図６はそれぞれ、本考案の実施例２を回路板に組み合わせた見取図及び側面断面図である。図に示したとおり、本考案のLED構造は、電性が符号するかどうかを考える必要がなく、且つ、一つのピン挿入孔６１に狙いを定めるだけでよく、直接LED構造を回路板６に挿入させる。本考案のLED構造は、ピン挿入孔６１に挿入して回路板６に取り付けた後、導電体２の第一絶縁層３に露出した一部分と回路基板６５を被覆する第一供電層６２とは電気接触し、導電層４は第一供電層６２を被覆した第二絶縁層６３により第一供電層６２と隔離し、導電層４と第二絶縁層６３を被覆する第二供電層６４とは電気接触する。LED１の第一電極１１と第一供電層６２の電性は同様で、LED１の第二電極１２と第二供電層６４の電性は同様である。
【００１３】
（実施例３）
図７は本考案の実施例３の組立図である。図に示すとおり、本考案のLED構造は製造工程速度を加速し、導電層４はロールプレス成形で第一絶縁層３外周に形成され、この製造工程により導電層４に開口４１を形成する。
【００１４】
上述したとおり、本考案は完全に実用新案の新規性、進歩性、産業利用可能性という三条件に符号するものである。新規性と進歩性について言えば、本考案は、電性を有する導電層を絶縁層部分によって別の電性を持つ細長形状の導電体を包み込むことにより、LED構造を一つのピンに変化させたものであり、更にLED構造を容易に回路板に取り付け容易に回路板から取り外す効果を達成させる。また、産業利用可能性について言えば、本考案の誘導製品は、充分に現在市場の要望を満たすことができる。
【図面の簡単な説明】
【００１５】
【図１】本考案の実施例１に関する分解図である。
【図２】本考案の実施例１に関する組立図である。
【図３】本考案の実施例１に関する上面図である。
【図４】本考案の実施例２に関する組立て図である。
【図５】本考案の実施例２を回路板に取り付けた見取図である。
【図６】本考案の実施例２を回路板に取り付けた側面断面図である。
【図７】本考案の実施例３に関する組立図である。［符号の説明］
【符号の説明】
【００１６】
１      LED（発光ダイオード）
１１    第一電極
１２    第二電極
２      導電体
３      第一絶縁層
４      導電層
４１    開口
５      カバー
６      回路板
６１    ピン挿入孔
６２    第一供電層
６３    第二絶縁層
６４    第二供電層
６５    回路基板
【図１】
0003139394.tif 000003
【図２】
0003139394.tif 000004
【図３】
0003139394.tif 000005
【図４】
0003139394.tif 000006
【図５】
0003139394.tif 000007
【図６】
0003139394.tif 000008
【図７】
0003139394.tif 000009